(57)【特許請求の範囲】
【請求項１】
第１の無線アクセス技術（ＲＡＴ）と第２のＲＡＴとのためのアップリンク共有のために構成されたユーザ機器（ＵＥ）によって実施されるワイヤレス通信の方法であって、
前記第１のＲＡＴまたは前記第２のＲＡＴのうちの特定のＲＡＴに関連付けられた通信のためのスケジューリング情報を受信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および４ｍｓ＋６ｍｓハイブリッド自動再送要求（ＨＡＲＱ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記第１の特定のリソースまたは前記第２の特定のリソースを使用して前記通信を送信することと、
を備え、
前記基準第１ＴＤＤ構成は、前記第１のＲＡＴのために保証された前記時間領域におけるアップリンクリソースを識別する、方法。
【請求項２】
リソースの前記第１のセットは、リソースの前記第１のセットのうちの前記１つまたは複数のリソースと、１つまたは複数の追加のリソースとを含む、請求項１に記載の方法。
【請求項３】
前記第１のＲＡＴは周波数分割複信構成に関連付けられ、前記第１の特定のリソースが前記基準第１ＴＤＤ構成に少なくとも部分的に基づく、請求項１に記載の方法。
【請求項４】
前記通信は、ダウンリンクＨＡＲＱ通信のためのフィードバックに関連付けられ、前記第１の特定のリソースは前記基準第１ＴＤＤ構成に少なくとも部分的に基づく、請求項１に記載の方法。
【請求項５】
任意のサブフレームにおいて前記ダウンリンクＨＡＲＱ通信のダウンリンクデータを受信すること、
をさらに備える、請求項４に記載の方法。
【請求項６】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項１に記載の方法。
【請求項７】
前記第１のＲＡＴはＴＤＤダウンリンク／アップリンク構成に関連付けられ、前記通信は、ダウンリンクＨＡＲＱ通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを受信すること、
をさらに備える、請求項１に記載の方法。
【請求項８】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項１に記載の方法。
【請求項９】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項１に記載の方法。
【請求項１０】
リソースの前記第２のセットのうちの１つまたは複数のリソースは、前記ＵＥの基準第２ＴＤＤ構成に少なくとも部分的に基づいて前記第２のＲＡＴのために保証される、前記基準第２ＴＤＤ構成は、前記第２のＲＡＴのために保証された時間領域におけるアップリンクリソースを識別する、
請求項１に記載の方法。
【請求項１１】
前記１つまたは複数のリソースは、時分割多重化（ＴＤＭ）リソースを含む、請求項１に記載の方法。
【請求項１２】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項１０に記載の方法。
【請求項１３】
前記通信はＨＡＲＱ通信に関連付けられ、
前記第２の特定のリソースは、動的ＨＡＲＱタイムラインに少なくとも部分的に基づいて選択される、
請求項１に記載の方法。
【請求項１４】
リソースの前記第１のセットのうちの前記１つまたは複数のリソースは、前記ＵＥの周期的通信のために保証される、請求項１に記載の方法。
【請求項１５】
リソースの前記第１のセットは、リソースの前記第２のセットとは異なる周波数に関連付けられる、請求項１に記載の方法。
【請求項１６】
前記第１のＲＡＴは４Ｇ  ＲＡＴを備え、前記第２のＲＡＴは５Ｇ  ＲＡＴを備える、請求項１に記載の方法。
【請求項１７】
基地局によって実施されるワイヤレス通信の方法であって、
第１の無線アクセス技術（ＲＡＴ）または第２のＲＡＴのうちの特定のＲＡＴに関連付けられた通信のためのスケジューリング情報をユーザ機器（ＵＥ）に送信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および前記第１のＲＡＴのための４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記第１の特定のリソースまたは前記第２の特定のリソースを使用して前記通信を受信することと、
を備え、
前記基準第１ＴＤＤ構成は、前記第１のＲＡＴのために保証された時間領域におけるアップリンクリソースを識別する、方法。
【請求項１８】
リソースの前記第１のセットは、リソースの前記第１のセットのうちの前記１つまたは複数のリソースと、１つまたは複数の追加のリソースとを含む、請求項１７に記載の方法。
【請求項１９】
前記第１のＲＡＴは周波数分割複信構成に関連付けられ、前記第１の特定のリソースは前記基準第１ＴＤＤ構成に少なくとも部分的に基づく、請求項１７に記載の方法。
【請求項２０】
前記通信は、ダウンリンクＨＡＲＱ通信のためのフィードバックに関連付けられ、前記第１の特定のリソースは前記基準第１ＴＤＤ構成に少なくとも部分的に基づく、請求項１７に記載の方法。
【請求項２１】
任意のサブフレームにおいて前記ダウンリンクＨＡＲＱ通信のダウンリンクデータを送信すること、
をさらに備える、請求項２０に記載の方法。
【請求項２２】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項１７に記載の方法。
【請求項２３】
前記第１のＲＡＴはＴＤＤダウンリンク／アップリンク構成に関連付けられ、前記通信は、ダウンリンクＨＡＲＱ通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを送信すること、
をさらに備える、請求項１７に記載の方法。
【請求項２４】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項１７に記載の方法。
【請求項２５】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項１７に記載の方法。
【請求項２６】
リソースの前記第２のセットのうちの１つまたは複数のリソースは、前記ＵＥの基準第２ＴＤＤ構成に少なくとも部分的に基づいて前記第２のＲＡＴのために保証され、前記基準第２ＴＤＤ構成は、前記第２のＲＡＴのために保証された時間領域におけるアップリンクリソースを識別する、
請求項１７に記載の方法。
【請求項２７】
前記１つまたは複数のリソースは、時分割多重化（ＴＤＭ）リソースを含む、請求項１７に記載の方法。
【請求項２８】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項２７に記載の方法。
【請求項２９】
前記通信はＨＡＲＱ通信に関連付けられ、
前記第２の特定のリソースは、動的ＨＡＲＱタイムラインに少なくとも部分的に基づいて選択される、
請求項１７に記載の方法。
【請求項３０】
リソースの前記第１のセットのうちの前記１つまたは複数のリソースは、前記ＵＥの周期的通信のために保証される、請求項１７に記載の方法。
【請求項３１】
リソースの前記第１のセットは、リソースの前記第２のセットとは異なる周波数に関連付けられる、請求項１７に記載の方法。
【請求項３２】
前記第１のＲＡＴは４Ｇ  ＲＡＴを備え、前記第２のＲＡＴは５Ｇ  ＲＡＴを備える、請求項１７に記載の方法。
【請求項３３】
第１の無線アクセス技術（ＲＡＴ）と第２のＲＡＴとのためのアップリンク共有のために構成された、ワイヤレス通信のためのユーザ機器（ＵＥ）であって、
メモリと、
前記メモリに動作可能に結合された１つまたは複数のプロセッサと、を備え、前記メモリおよび前記１つまたは複数のプロセッサは、
前記第１のＲＡＴまたは前記第２のＲＡＴのうちの特定のＲＡＴに関連付けられた通信のためのスケジューリング情報を受信することと、
ここにおいて、前記特定のＲＡＴが前記第１のＲＡＴであるとき、
前記スケジューリング情報は、リソースの第１のセットのうちの第１の特定のリソースを識別し、前記第１の特定のリソースは、半静的手法および４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、前記ＵＥの基準第１ＴＤＤ構成に少なくとも部分的に基づいて前記第１のＲＡＴのために保証され、リソースの前記第１のセットのうちの前記１つまたは複数のリソースと、リソースの前記第２のセットとは時間領域において重複しない、
前記第１の特定のリソースまたは前記第２の特定のリソースを使用して前記通信を送信することと、
を行うように構成され、
前記基準第１ＴＤＤ構成は、前記第１のＲＡＴのために保証された時間領域におけるアップリンクリソースを識別する、ユーザ機器（ＵＥ）。
【請求項３４】
リソースの前記第１のセットは、リソースの前記第１のセットのうちの前記１つまたは複数のリソースと、１つまたは複数の追加のリソースとを含む、請求項３３に記載のＵＥ。
【請求項３５】
前記第１のＲＡＴは周波数分割複信構成に関連付けられ、前記第１の特定のリソースは前記基準第１ＴＤＤ構成に少なくとも部分的に基づく、請求項３３に記載のＵＥ。
【請求項３６】
前記通信は、ダウンリンクＨＡＲＱ通信のためのフィードバックに関連付けられ、前記第１の特定のリソースは前記基準第１ＴＤＤ構成に少なくとも部分的に基づく、請求項３３に記載のＵＥ。
【請求項３７】
前記１つまたは複数のプロセッサは、
任意のサブフレームにおいて前記ダウンリンクＨＡＲＱ通信のダウンリンクデータを受信すること、
を行う、請求項３６に記載のＵＥ。
【請求項３８】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項３３に記載のＵＥ。
【請求項３９】
前記第１のＲＡＴはＴＤＤダウンリンク／アップリンク構成に関連付けられ、前記通信は、ダウンリンクＨＡＲＱ通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを受信すること、
を行う、請求項３３に記載のＵＥ。
【請求項４０】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項３３に記載のＵＥ。
【請求項４１】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項３３に記載のＵＥ。
【請求項４２】
リソースの前記第２のセットのうちの１つまたは複数のリソースは、前記ＵＥの基準第２ＴＤＤ構成に少なくとも部分的に基づいて前記第２のＲＡＴのために保証され、前記基準第２ＴＤＤ構成は、前記第２のＲＡＴのために保証された時間領域におけるアップリンクリソースを識別する、
請求項３３に記載のＵＥ。
【請求項４３】
前記１つまたは複数のリソースは、時分割多重化（ＴＤＭ）リソースを含む、請求項３３に記載のＵＥ。
【請求項４４】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項４２に記載のＵＥ。
【請求項４５】
前記通信はＨＡＲＱ通信に関連付けられ、
前記第２の特定のリソースは、動的ＨＡＲＱタイムラインに少なくとも部分的に基づいて選択される、
請求項３３に記載のＵＥ。
【請求項４６】
リソースの前記第１のセットのうちの前記１つまたは複数のリソースは、前記ＵＥの周期的通信のために保証される、請求項３３に記載のＵＥ。
【請求項４７】
リソースの前記第１のセットは、リソースの前記第２のセットとは異なる周波数に関連付けられる、請求項３３に記載のＵＥ。
【請求項４８】
前記第１のＲＡＴは４Ｇ  ＲＡＴを備え、前記第２のＲＡＴは５Ｇ  ＲＡＴを備える、請求項３３に記載のＵＥ。
【請求項４９】
ワイヤレス通信のための基地局であって、
メモリと、
前記メモリに動作可能に結合された１つまたは複数のプロセッサと、を備え、前記メモリおよび前記１つまたは複数のプロセッサは、
第１の無線アクセス技術（ＲＡＴ）または第２のＲＡＴのうちの特定のＲＡＴに関連付けられた通信のためのスケジューリング情報をユーザ機器（ＵＥ）に送信することと、
ここにおいて、前記特定のＲＡＴが前記第１のＲＡＴであるとき、
前記スケジューリング情報は、前記第１のＲＡＴのためのリソースの第１のセットのうちの第１の特定のリソースを識別し、前記第１の特定のリソースは、半静的手法および４ｍｓ＋６ｍｓハイブリッド自動再送要求（ＨＡＲＤ）タイムラインに少なくとも部分的に基づいて選択され、
前記特定のＲＡＴが前記第２のＲＡＴであるとき、
前記スケジューリング情報は、リソースの第２のセットのうちの第２の特定のリソースを識別し、前記第２の特定のリソースは、動的手法を使用して選択され、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとは時間領域において重複しない、
前記第１の特定のリソースまたは前記第２の特定のリソースを使用して前記通信を受信することと、
を行うように構成され、
前記基準第１ＴＤＤ構成は、前記第１のＲＡＴのために保証された時間領域におけるアップリンクリソースを識別する、基地局。
【請求項５０】
リソースの前記第１のセットは、リソースの前記第１のセットのうちの前記１つまたは複数のリソースと、１つまたは複数の追加のリソースとを含む、請求項４９に記載の基地局。
【請求項５１】
前記第１のＲＡＴは周波数分割複信構成に関連付けられ、前記第１の特定のリソースは前記基準第１ＴＤＤ構成に少なくとも部分的に基づく、請求項４９に記載の基地局。
【請求項５２】
前記通信は、ダウンリンクＨＡＲＱ通信のためのフィードバックに関連付けられ、前記第１の特定のリソースは前記基準第１ＴＤＤ構成に少なくとも部分的に基づく、請求項４９に記載の基地局。
【請求項５３】
前記１つまたは複数のプロセッサは、
任意のサブフレームにおいて前記ダウンリンクＨＡＲＱ通信のダウンリンクデータを送信すること、
を行う、請求項５２に記載の基地局。
【請求項５４】
前記第１のＲＡＴはＴＤＤダウンリンク／アップリンク構成に関連付けられ、前記通信は、ダウンリンクＨＡＲＱ通信のためのフィードバックに関連付けられ、前記第１の特定のリソースは前記基準第１ＴＤＤ構成に少なくとも部分的に基づく、請求項４９に記載の基地局。
【請求項５５】
前記第１のＲＡＴはＴＤＤダウンリンク／アップリンク構成に関連付けられ、前記通信は、ダウンリンクＨＡＲＱ通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを送信すること、
をさらに行う、請求項４９に記載の基地局。
【請求項５６】
前記第１の特定のリソースはアップリンクＨＡＲＱペイロードのためのものであり、前記第１の特定のリソースは、前記第１のＲＡＴのための周波数分割複信タイムラインに少なくとも部分的に基づいて選択される、請求項４９に記載の基地局。
【請求項５７】
前記第１の特定のリソースはアップリンクＨＡＲＱペイロードのためのものであり、前記第１の特定のリソースは、前記第１のＲＡＴのＴＤＤダウンリンク／アップリンク構成に少なくとも部分的に基づいて選択される、請求項４９に記載の基地局。
【請求項５８】
リソースの前記第２のセットのうちの１つまたは複数のリソースは、前記ＵＥの基準第２ＴＤＤ構成に少なくとも部分的に基づいて前記第２のＲＡＴのために保証される、前記基準第２ＴＤＤ構成は、前記第２のＲＡＴのために保証された時間領域におけるアップリンクリソースを識別する、請求項４９に記載の基地局。
【請求項５９】
前記１つまたは複数のリソースは、時分割多重化（ＴＤＭ）リソースを含む、請求項４９に記載の基地局。
【請求項６０】
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、請求項５９に記載の基地局。
【請求項６１】
前記通信はＨＡＲＱ通信に関連付けられ、
前記第２の特定のリソースは、動的ＨＡＲＱタイムラインに少なくとも部分的に基づいて選択される、
請求項４９に記載の基地局。
【請求項６２】
リソースの前記第１のセットのうちの前記１つまたは複数のリソースは、前記ＵＥの周期的通信のために保証される、請求項４９に記載の基地局。
【請求項６３】
リソースの前記第１のセットは、リソースの前記第２のセットとは異なる周波数に関連付けられる、請求項４９に記載の基地局。
【請求項６４】
前記第１のＲＡＴは４Ｇ  ＲＡＴを備え、前記第２のＲＡＴは５Ｇ  ＲＡＴを備える、請求項４９に記載の基地局。
【発明の詳細な説明】
【優先権の主張】
【０００１】
米国特許法第１１９条に基づく関連出願の相互参照
[0001]本出願は、参照により本明細書に明確に組み込まれる、２０１７年１０月１１日に出願された「TECHNIQUES AND APPARATUSES FOR TIME DIVISION MULTIPLEXING FOR DUAL-RAT COMMUNICATION」と題する米国仮特許出願第６２／５７１，１７６号、および２０１８年１０月９日に出願された「TECHNIQUES AND APPARATUSES FOR TIME DIVISION MULTIPLEXING FOR DUAL-RAT COMMUNICATION」と題する米国非仮特許出願第１６／１５５，５８３号の優先権を主張する。
【技術分野】
【０００２】
[0002]本開示の態様は、一般にワイヤレス通信に関し、より詳細には、デュアル無線アクセス技術（ＲＡＴ）通信のための時分割多重化（ＴＤＭ）のための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送信受信ポイント（ＴＲＰ）、新しい無線（ＮＲ）ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新しい無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重（ＯＦＤＭ）（ＣＰ−ＯＦＤＭ）を使用して、アップリンク（ＵＬ）上でＣＰ−ＯＦＤＭおよび／または（たとえば、離散フーリエ変換拡散ＯＤＦＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]いくつかの態様では、第１の無線アクセス技術（ＲＡＴ）と第２のＲＡＴとのためのアップリンク共有のために構成されたユーザ機器（ＵＥ）によって実施されるワイヤレス通信の方法は、第１のＲＡＴまたは第２のＲＡＴのうちの特定のＲＡＴに関連付けられた通信のためのスケジューリング情報を受信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を送信することと、を含み得る。
【０００７】
[0007]いくつかの態様では、第１のＲＡＴと第２のＲＡＴとのためのアップリンク共有のために構成されたワイヤレス通信のためのＵＥは、メモリと、メモリに動作可能に結合された１つまたは複数のプロセッサとを含み得る。メモリおよび１つまたは複数のプロセッサは、第１のＲＡＴまたは第２のＲＡＴのうちの特定のＲＡＴに関連付けられた通信のためのスケジューリング情報を受信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットと、リソースの第２のセットとが時間領域において重複せず、リソースの第１のセットのうちの１つまたは複数のリソースが、基準第１ＴＤＤ構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を送信することと、を行うように構成され得る。
【０００８】
[0008]いくつかの態様では、非一時的コンピュータ可読媒体は、ワイヤレス通信のための１つまたは複数の命令を記憶し得る。１つまたは複数の命令は、第１のＲＡＴと第２のＲＡＴとのためのアップリンク共有のために構成されたＵＥの１つまたは複数のプロセッサによって実行されたとき、１つまたは複数のプロセッサに、第１のＲＡＴまたは第２のＲＡＴのうちの特定のＲＡＴに関連付けられた通信のためのスケジューリング情報を受信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１ＴＤＤ構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を送信することと、を行わせ得る。
【０００９】
[0009]いくつかの態様では、ワイヤレス通信のための装置は、第１のＲＡＴまたは第２のＲＡＴのうちの特定のＲＡＴに関連付けられた通信のためのスケジューリング情報を受信するための手段と、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１ＴＤＤ構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を送信するための手段と、を含み得る。
【００１０】
[0010]いくつかの態様では、基地局によって実施されるワイヤレス通信の方法は、第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットと、リソースの第２のセットとが時間領域において重複せず、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を受信することと、を含み得る。
【００１１】
[0011]いくつかの態様では、ワイヤレス通信のための基地局は、メモリと、メモリに動作可能に結合された１つまたは複数のプロセッサとを含み得る。メモリおよび１つまたは複数のプロセッサは、第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を受信することと、を行うように構成され得る。
【００１２】
[0012]いくつかの態様では、非一時的コンピュータ可読媒体は、ワイヤレス通信のための１つまたは複数の命令を記憶し得る。１つまたは複数の命令は、基地局の１つまたは複数のプロセッサによって実行されたとき、１つまたは複数のプロセッサに、第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を受信することと、を行わせ得る。
【００１３】
[0013]いくつかの態様では、ワイヤレス通信のための装置は、第１の無線アクセス技術（ＲＡＴ）または第２のＲＡＴのうちの特定のＲＡＴに関連付けられた通信のためのスケジューリング情報をユーザ機器（ＵＥ）に送信するための手段と、ここにおいて、スケジューリング情報が、第１のＲＡＴのためのリソースの第１のセット、または第２のＲＡＴのためのリソースの第２のセットのうちの１つのうちの特定のリソースを識別し、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を受信するための手段と、を含み得る。
【００１４】
[0014]態様は、概して、添付の図面および明細書を参照しながら本明細書で実質的に説明され、添付の図面および明細書によって示されるように、方法、装置、システム、コンピュータプログラム製品、非一時的コンピュータ可読媒体、基地局、ユーザ機器、ワイヤレス通信デバイス、および処理システムを含む。
【００１５】
[0015]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００１６】
[0016]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００１７】
【図１】[0017]本開示の様々な態様による、ワイヤレス通信ネットワークの一例を概念的に示すブロック図。
【図２】[0018]本開示の様々な態様による、ワイヤレス通信ネットワークにおいてユーザ機器（ＵＥ）と通信している基地局の一例を概念的に示すブロック図。
【図３Ａ】[0019]本開示の様々な態様による、ワイヤレス通信ネットワークにおけるフレーム構造の一例を概念的に示すブロック図。
【図３Ｂ】[0020]本開示の様々な態様による、ワイヤレス通信ネットワークにおける例示的な同期通信階層を概念的に示すブロック図。
【図４】[0021]本開示の様々な態様による、ノーマルサイクリックプレフィックスをもつ例示的なサブフレームフォーマットを概念的に示すブロック図。
【図５】[0022]本開示のいくつかの態様による、分散型無線アクセスネットワーク（ＲＡＮ）の例示的な論理アーキテクチャを示す図。
【図６】[0023]本開示のいくつかの態様による、分散型ＲＡＮの例示的な物理アーキテクチャを示す図。
【図７】[0024]本開示のいくつかの態様による、ダウンリンク（ＤＬ）中心サブフレームの一例を示す図。
【図８】[0025]本開示のいくつかの態様による、アップリンク（ＵＬ）中心サブフレームの一例を示す図。
【図９Ａ】[0026]本開示の様々な態様による、デュアルＲＡＴ通信のための時分割多重化の例を示す図。
【図９Ｂ】本開示の様々な態様による、デュアルＲＡＴ通信のための時分割多重化の例を示す図。
【図１０】[0027]本開示の様々な態様による、たとえば、ユーザ機器によって実施される例示的なプロセスを示す図。
【図１１】本開示の様々な態様による、たとえば、基地局によって実施される例示的なプロセスを示す図。
【発明を実施するための形態】
【００１８】
[0028]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１９】
[0029]次に、様々な装置および技法を参照しながら電気通信システムのいくつかの態様が提示される。これらの装置および技法は、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２０】
[0030]本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００２１】
[0031]図１は、本開示の態様が実施され得るネットワーク１００を示す図である。ネットワーク１００は、ＬＴＥネットワーク、あるいは、５ＧまたはＮＲネットワークなど、何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２２】
[0032]ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００２３】
[0033]いくつかの態様では、セルは必ずしも固定であるとは限らないことがあり、セルの地理的エリアは、モバイルＢＳのロケーションに従って移動することがある。いくつかの態様では、ＢＳは、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他のＢＳまたはネットワークノード（図示せず）に相互接続され得る。
【００２４】
[0034]ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、マクロＢＳ１１０ａおよびＵＥ１２０ｄと通信し得る。中継局は、リレーＢＳ、リレー基地局、リレーなどと呼ばれることもある。
【００２５】
[0035]ワイヤレスネットワーク１００は、異なるタイプのＢＳ、たとえば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、およびリレーＢＳは、より低い送信電力レベル（たとえば、０．１〜２ワット）を有し得る。
【００２６】
[0036]ネットワークコントローラ１３０は、ＢＳのセットに結合し得、これらのＢＳの協調および制御を行い得る。ネットワークコントローラ１３０はバックホールを介してＢＳと通信し得る。ＢＳはまた、たとえば、ワイヤレスバックホールまたはワイヤラインバックホールを介して直接または間接的に互いと通信し得る。
【００２７】
[0037]ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００２８】
[0038]いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００２９】
[0039]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００３０】
[0040]いくつかの態様では、（たとえば、ＵＥ１２０ａおよびＵＥ１２０ｅとして示されている）２つまたはそれ以上のＵＥ１２０が、（たとえば、互いと通信するための媒介としてＢＳ１１０を使用せずに）１つまたは複数のサイドリンクチャネルを使用して、直接、通信し得る。たとえば、ＵＥ１２０は、ピアツーピア（Ｐ２Ｐ）通信、デバイスツーデバイス（Ｄ２Ｄ）通信、（たとえば、車両対車両（Ｖ２Ｖ）プロトコル、車両対インフラストラクチャ（Ｖ２Ｉ）プロトコルなどを含み得る）車両対あらゆるモノ（Ｖ２Ｘ）プロトコル、メッシュネットワークなどを使用して通信し得る。この場合、ＵＥ１２０は、スケジューリング動作、リソース選択動作、および／またはＢＳ１１０によって実施されるものとして本明細書の他の場所で説明される他の動作を実施し得る。
【００３１】
[0041]上記のように、図１は一例として与えられるにすぎない。他の例が可能であり、図１に関して説明されたものとは異なり得る。
【００３２】
[0042]図２は、図１中の基地局のうちの１つであり得るＢＳ１１０および図１中のＵＥのうちの１つであり得るＵＥ１２０の設計のブロック図２００を示す。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００３３】
[0043]ＢＳ１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。送信プロセッサ２２０はまた、基準信号（たとえば、セル固有基準信号（ＣＲＳ：cell-specific reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明されるいくつかの態様によれば、同期信号は、追加情報を伝達するためにロケーション符号化を用いて生成され得る。
【００３４】
[0044]ＵＥ１２０において、アンテナ２５２ａ〜２５２ｒが、ＢＳ１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００３５】
[0045]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３６】
[0046]いくつかの態様では、ＵＥ１２０の１つまたは複数の構成要素は、ハウジング中に含まれ得る。ＢＳ１１０のコントローラ／プロセッサ２４０、ＵＥ１２０のコントローラ／プロセッサ２８０、および／または図２の（１つまたは複数の）任意の他の構成要素は、本明細書の他の場所でより詳細に説明されるように、デュアルＲＡＴ通信のためのＴＤＭに関連する１つまたは複数の技法を実施し得る。たとえば、ＢＳ１１０のコントローラ／プロセッサ２４０、ＵＥ１２０のコントローラ／プロセッサ２８０、および／または図２の（１つまたは複数の）任意の他の構成要素は、たとえば、図１０のプロセス１０００、図１１のプロセス１１００、および／または本明細書で説明される他のプロセスの動作を実施または指示し得る。メモリ２４２および２８２は、それぞれＢＳ１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３７】
[0047]いくつかの態様では、ＵＥ１２０は、第１のＲＡＴまたは第２のＲＡＴのうちの特定のＲＡＴに関連付けられた通信のためのスケジューリング情報を受信するための手段、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、ＵＥの基準第１ＴＤＤ構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を送信するための手段；リソースの第１のセットのうちの任意のリソース中でダウンリンクＨＡＲＱ通信のダウンリンクデータを受信するための手段；基準第１ＴＤＤ構成によって識別されるリソース中でダウンリンクＨＡＲＱ通信のためのダウンリンクデータを受信するための手段などを含み得る。いくつかの態様では、そのような手段は、図２に関して説明されるＵＥ１２０の１つまたは複数の構成要素を含み得る。
【００３８】
[0048]いくつかの態様では、ＢＳ１１０は、第１の無線アクセス技術（ＲＡＴ）または第２のＲＡＴのうちの特定のＲＡＴに関連付けられた通信のためのスケジューリング情報をＵＥに送信するための手段、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１時分割複信（ＴＤＤ）構成に少なくとも部分的に基づいて第１のＲＡＴのために保証され、リソースの第１のセットのうちの１つまたは複数のリソースと、リソースの第２のセットとが時間領域において重複しない；特定のリソースを使用して通信を受信するための手段；リソースの第１のセットのうちの任意のリソース中でダウンリンクＨＡＲＱ通信のダウンリンクデータを送信するための手段；基準第１ＴＤＤ構成によって識別されるリソース中でダウンリンクＨＡＲＱ通信のためのダウンリンクデータを送信するための手段などを含み得る。いくつかの態様では、そのような手段は、図２に関して説明されるＢＳ１１０の１つまたは複数の構成要素を含み得る。
【００３９】
[0049]上記のように、図２は一例として与えられるにすぎない。他の例が可能であり、図２に関して説明されたものとは異なり得る。
【００４０】
[0050]図３Ａは、無線アクセス技術（たとえば、ＮＲ）における周波数分割複信（ＦＤＤ）のための例示的なフレーム構造３００を示す。ダウンリンクおよびアップリンクの各々についての送信タイムラインは、無線フレームの単位に区分され得る。各無線フレームは、所定の持続時間を有し得、（たとえば、０〜Ｚ−１のインデックスをもつ）Ｚ（Ｚ≧１）個のサブフレームのセットへ区分され得る。各サブフレームはスロットのセットを含み得る（たとえば、サブフレームごとの２つのスロットが図３Ａに示されている）。各スロットはＬ個のシンボル期間のセットを含み得る。たとえば、各スロットは、（たとえば、図３Ａに示されているような）７つのシンボル期間、１５個のシンボル期間などを含み得る。サブフレームが２つのスロットを含む場合、サブフレームは２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどであり得る。
【００４１】
[0051]本明細書では、フレーム、サブフレーム、スロットなどに関していくつかの技法が説明されるが、これらの技法は、５Ｇ  ＮＲにおいて「フレーム」、「サブフレーム」、「スロット」などとは異なる用語を使用して参照され得る、他のタイプのワイヤレス通信構造に等しく適用され得る。いくつかの態様では、ワイヤレス通信構造は、ワイヤレス通信規格および／またはプロトコルによって定義される周期時間限定通信ユニット（periodic time-bounded communication unit）を指し得る。追加または代替として、図３Ａに示されているものとは異なる、ワイヤレス通信構造の構成が使用され得る。
【００４２】
[0052]いくつかの電気通信（たとえば、ＮＲ）では、ＢＳは同期信号を送信し得る。たとえば、ＢＳは、ＢＳによってサポートされる各セルのためのダウンリンク上で、１次同期信号（ＰＳＳ）、２次同期信号（ＳＳＳ）などを送信し得る。ＰＳＳおよびＳＳＳは、セル探索および収集のためにＵＥによって使用され得る。たとえば、ＰＳＳは、シンボルタイミングを決定するためにＵＥによって使用され得、ＳＳＳは、ＢＳに関連付けられた物理セル識別子とフレームタイミングとを決定するためにＵＥによって使用され得る。ＢＳは、物理ブロードキャストチャネル（ＰＢＣＨ）をも送信し得る。ＰＢＣＨは、ＵＥによる初期アクセスをサポートするシステム情報など、いくつかのシステム情報を搬送し得る。
【００４３】
[0053]いくつかの態様では、基地局は、図３Ｂに関して以下で説明される、複数の同期通信（たとえば、同期信号（ＳＳ）ブロック）を含む同期通信階層（たとえば、ＳＳ階層）に従って、ＰＳＳ、ＳＳＳ、および／またはＰＢＣＨを送信し得る。
【００４４】
[0054]図３Ｂは、同期通信階層の一例である、例示的なＳＳ階層を概念的に示すブロック図である。図３Ｂに示されているように、ＳＳ階層は、複数のＳＳバースト（ＳＳバースト０〜ＳＳバーストＢ−１として識別され、ここで、Ｂは、基地局によって送信され得るＳＳバーストの最大繰返し数である）を含み得る、ＳＳバーストセットを含み得る。さらに示されているように、各ＳＳバーストは、１つまたは複数のＳＳブロック（ＳＳブロック０〜ＳＳブロック（ｂmax_SS-1）として識別され、ここで、ｂmax_SS-1は、ＳＳバーストによって搬送され得るＳＳブロックの最大数である）を含み得る。いくつかの態様では、異なるＳＳブロックは、別様にビームフォーミングされ得る。ＳＳバーストセットは、図３Ｂに示されているように、Ｘミリ秒ごとになど、ワイヤレスノードによって周期的に送信され得る。いくつかの態様では、ＳＳバーストセットは、図３ＢにＹミリ秒として示される、固定長または動的な長さを有し得る。
【００４５】
[0055]図３Ｂに示されているＳＳバーストセットは、同期通信セットの一例であり、他の同期通信セットが、本明細書で説明される技法に関して使用され得る。さらに、図３Ｂに示されているＳＳブロックは、同期通信の一例であり、他の同期通信が、本明細書で説明される技法に関して使用され得る。
【００４６】
[0056]いくつかの態様では、ＳＳブロックは、ＰＳＳ、ＳＳＳ、ＰＢＣＨ、ならびに／あるいは他の同期信号（たとえば、３次同期信号（ＴＳＳ：tertiary synchronization signal））および／または同期チャネルを搬送するリソースを含む。いくつかの態様では、複数のＳＳブロックがＳＳバースト中に含まれ、ＰＳＳ、ＳＳＳ、および／またはＰＢＣＨは、ＳＳバーストの各ＳＳブロックにわたって同じであり得る。いくつかの態様では、単一のＳＳブロックが１つのＳＳバースト中に含まれ得る。いくつかの態様では、ＳＳブロックは、長さが少なくとも４つのシンボル期間であり得、ここで、各シンボルは、（たとえば、１つのシンボルを占有する）ＰＳＳ、（たとえば、１つのシンボルを占有する）ＳＳＳ、および／または（たとえば、２つのシンボルを占有する）ＰＢＣＨのうちの１つまたは複数を搬送する。
【００４７】
[0057]いくつかの態様では、同期通信（たとえば、ＳＳブロック）は、送信のための基地局同期通信を含み得、これは、Ｔｘ  ＢＳ−ＳＳ、Ｔｘ  ｇＮＢ−ＳＳなどと呼ばれることがある。いくつかの態様では、同期通信（たとえば、ＳＳブロック）は、受信のための基地局同期通信を含み得、これは、Ｒｘ  ＢＳ−ＳＳ、Ｒｘ  ｇＮＢ−ＳＳなどと呼ばれることがある。いくつかの態様では、同期通信（たとえば、ＳＳブロック）は、送信のためのユーザ機器同期通信を含み得、これは、Ｔｘ  ＵＥ−ＳＳ、Ｔｘ  ＮＲ−ＳＳなどと呼ばれることがある。（たとえば、第１の基地局による送信および第２の基地局による受信のための）基地局同期通信は、基地局間の同期のために構成され得、（たとえば、基地局による送信およびユーザ機器による受信のための）ユーザ機器同期通信は、基地局とユーザ機器との間の同期のために構成され得る。
【００４８】
[0058]いくつかの態様では、基地局同期通信は、ユーザ機器同期通信とは異なる情報を含み得る。たとえば、１つまたは複数の基地局同期通信は、ＰＢＣＨ通信を除外し得る。追加または代替として、基地局同期通信とユーザ機器同期通信とは、同期通信の送信または受信のために使用される時間リソース、同期通信の送信または受信のために使用される周波数リソース、同期通信の周期性、同期通信の波形、同期通信の送信または受信のために使用されるビームフォーミングパラメータなどのうちの１つまたは複数に関して異なり得る。
【００４９】
[0059]いくつかの態様では、ＳＳブロックのシンボルは、図３Ｂに示されているように、連続する。いくつかの態様では、ＳＳブロックのシンボルは非連続である。同様に、いくつかの態様では、ＳＳバーストの１つまたは複数のＳＳブロックは、１つまたは複数のサブフレーム中に、連続する無線リソース（たとえば、連続するシンボル期間）中で送信され得る。追加または代替として、ＳＳバーストの１つまたは複数のＳＳブロックは、非連続無線リソース中で送信され得る。
【００５０】
[0060]いくつかの態様では、ＳＳバーストは、バースト期間を有し得、それにより、ＳＳバーストのＳＳブロックは、バースト期間に従って、ＢＳによって送信される。言い換えれば、ＳＳブロックは、各ＳＳバースト中に繰り返され得る。いくつかの態様では、ＳＳバーストセットは、バーストセット周期性を有し得、それにより、ＳＳバーストセットのＳＳバーストは、固定バーストセット周期性に従って、ＢＳによって送信される。言い換えれば、ＳＳバーストは、各ＳＳバーストセット中に繰り返され得る。
【００５１】
[0061]ＢＳは、いくつかのサブフレーム中の物理ダウンリンク共有チャネル（ＰＤＳＣＨ）上でシステム情報ブロック（ＳＩＢ）などのシステム情報を送信し得る。ＢＳは、１つのサブフレームのＱ個のシンボル期間中に、物理ダウンリンク制御チャネル（ＰＤＣＣＨ）上で制御情報／データを送信し得、ここで、Ｑは各サブフレームについて構成可能であり得る。ＢＳは、各サブフレームの残りのシンボル期間中に、ＰＤＳＣＨ上でトラフィックデータおよび／または他のデータを送信し得る。
【００５２】
[0062]上記のように、図３Ａおよび図３Ｂは例として与えられている。他の例が可能であり、図３Ａおよび図３Ｂに関して説明されたものとは異なり得る。
【００５３】
[0063]図４は、ノーマルサイクリックプレフィックスをもつ例示的なサブフレームフォーマット４１０を示す。利用可能な時間周波数リソースはリソースブロックに区分され得る。各リソースブロックは、１つのスロット中のサブキャリアへのセット（たとえば、１２個のサブキャリア）をカバーし得、いくつかのリソース要素を含み得る。各リソース要素は、１つのシンボル期間中に（たとえば、時間的に）１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨなどを搬送するＳＳブロックの送信のために使用され得る。
【００５４】
[0064]いくつかの電気通信システム（たとえば、ＮＲ）におけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００５５】
[0065]ＵＥは、複数のＢＳのカバレージ内に位置し得る。そのＵＥをサービスするために、これらのＢＳのうちの１つが選択され得る。サービングＢＳは、受信信号強度、受信信号品質、経路損失など、様々な基準に少なくとも部分的に基づいて選択され得る。受信信号品質は、信号対雑音干渉比（ＳＩＮＲ）、または基準信号受信品質（ＲＳＲＱ）、または何らかの他のメトリックによって定量化され得る。ＵＥは、ＵＥが１つまたは複数の干渉ＢＳからの高い干渉を観測し得る支配的干渉シナリオにおいて動作し得る。
【００５６】
[0066]本明細書で説明される例の態様は、ＮＲまたは５Ｇ技術に関連付けられ得るが、本開示の態様は、他のワイヤレス通信システムとともに適用可能であり得る。新しい無線（ＮＲ）は、（たとえば、直交周波数分割多元接続（ＯＦＤＭＡ）ベースエアインターフェース以外の）新しいエアインターフェース、または（たとえば、インターネットプロトコル（ＩＰ）以外の）固定トランスポートレイヤに従って動作するように構成された無線を指し得る。態様では、ＮＲは、アップリンク上で（本明細書ではサイクリックプレフィックスＯＦＤＭまたはＣＰ−ＯＦＤＭと呼ばれる）ＣＰを伴うＯＦＤＭおよび／またはＳＣ−ＦＤＭを利用し得、ダウンリンク上でＣＰ−ＯＦＤＭを利用し得、ＴＤＤを使用する半二重動作のサポートを含む。態様では、ＮＲは、たとえば、アップリンク上で（本明細書ではＣＰ−ＯＦＤＭと呼ばれる）ＣＰを伴うＯＦＤＭおよび／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用する半二重動作のサポートを含む。ＮＲは、拡張モバイルブロードバンド（ｅＭＢＢ）サービスターゲッティング広帯域幅（たとえば、８０メガヘルツ（ＭＨｚ）以上）、ミリメートル波（ｍｍＷ）ターゲッティング高キャリア周波数（たとえば、６０ギガヘルツ（ＧＨｚ））、マッシブＭＴＣ（ｍＭＴＣ）ターゲッティング非後方互換ＭＴＣ技法、および／またはミッションクリティカルターゲッティング超高信頼低レイテンシ通信（ＵＲＬＬＣ）サービスを含み得る。
【００５７】
[0067]いくつかの態様では、１００ＭＨＺの単一のコンポーネントキャリア帯域幅が、サポートされ得る。ＮＲリソースブロックは、０．１ミリ秒（ｍｓ）持続時間にわたって６０または１２０キロヘルツ（ｋＨｚ）のサブキャリア帯域幅をもつ１２個のサブキャリアにわたり得る。各無線フレームは、１０ｍｓの長さをもつ４０個のサブフレームを含み得る。したがって、各サブフレームは、０．２５ｍｓの長さを有し得る。各サブフレームは、データ送信のためのリンク方向（たとえば、ＤＬまたはＵＬ）を示し得、各サブフレームのためのリンク方向は、動的に切り替えられ得る。各サブフレームは、ＤＬ／ＵＬデータならびにＤＬ／ＵＬ制御データを含み得る。
【００５８】
[0068]ビームフォーミングがサポートされ得、ビーム方向が動的に構成され得る。プリコーディングを用いたＭＩＭＯ送信も、サポートされ得る。ＤＬにおけるＭＩＭＯ構成は、最高８つのストリームおよびＵＥごとに最高２つのストリームのマルチレイヤＤＬ送信を用いて、最高８つの送信アンテナをサポートし得る。ＵＥごとに最高２つのストリームをもつマルチレイヤ送信が、サポートされ得る。複数のセルのアグリゲーションが、最高８つのサービングセルを用いてサポートされ得る。代替的に、ＮＲは、ＯＦＤＭベースインターフェース以外の異なるエアインターフェースをサポートし得る。ＮＲネットワークは、エンティティ、そのような中央ユニットまたは分散型ユニットを含み得る。
【００５９】
[0069]上記のように、図４は一例として与えられている。他の例が可能であり、図４に関して説明されたものとは異なり得る。
【００６０】
[0070]図５は、本開示の態様による、分散型ＲＡＮ５００の例示的な論理アーキテクチャを示す。５Ｇアクセスノード５０６は、アクセスノードコントローラ（ＡＮＣ）５０２を含み得る。ＡＮＣは、分散型ＲＡＮ５００の中央ユニット（ＣＵ）であり得る。次世代コアネットワーク（ＮＧ−ＣＮ）５０４へのバックホールインターフェースは、ＡＮＣにおいて終端し得る。隣接する次世代アクセスノード（ＮＧ−ＡＮ）へのバックホールインターフェースは、ＡＮＣにおいて終端し得る。ＡＮＣは、（ＢＳ、ＮＲ  ＢＳ、ノードＢ、５Ｇ  ＮＢ、ＡＰ、ｇＮＢ、または何らかの他の用語で呼ばれることもある）１つまたは複数のＴＲＰ５０８を含み得る。上記で説明されたように、ＴＲＰは、「セル」と互換的に使用され得る。
【００６１】
[0071]ＴＲＰ５０８は、分散型ユニット（ＤＵ）であり得る。ＴＲＰは、１つのＡＮＣ（ＡＮＣ５０２）または（示されていない）２つ以上のＡＮＣに接続され得る。たとえば、ＲＡＮ共有、サービスとしての無線（ＲａａＳ：radio as a service）、およびサービス固有ＡＮＤ展開（service specific AND deployments）の場合、ＴＲＰは２つ以上のＡＮＣに接続され得る。ＴＲＰは１つまたは複数のアンテナポートを含み得る。ＴＲＰは、ＵＥにトラフィックを、個々にサービスする（たとえば、動的選択）か、または一緒にサービスする（たとえば、ジョイント送信）ように構成され得る。
【００６２】
[0072]ＲＡＮ５００のローカルアーキテクチャは、フロントホール定義を示すために使用され得る。異なる展開タイプにわたってフロントホーリングソリューション（fronthauling solution）をサポートするアーキテクチャが定義され得る。たとえば、アーキテクチャは、送信ネットワーク能力（たとえば、帯域幅、レイテンシ、および／またはジッタ）に少なくとも部分的に基づき得る。
【００６３】
[0073]アーキテクチャは、ＬＴＥと特徴および／または構成要素を共有し得る。態様によれば、次世代ＡＮ（ＮＧ−ＡＮ）５１０は、ＮＲとのデュアル接続性をサポートし得る。ＮＧ−ＡＮは、ＬＴＥおよびＮＲについて共通フロントホールを共有し得る。
【００６４】
[0074]アーキテクチャは、ＴＲＰ５０８間の協働を可能にし得る。たとえば、協働は、ＡＮＣ５０２を介してＴＲＰ内でおよび／またはＴＲＰにわたってプリセットされ得る。態様によれば、ＴＲＰ間インターフェースは、必要とされない／存在しないことがある。
【００６５】
[0075]態様によれば、分割された論理機能の動的構成が、ＲＡＮ５００のアーキテクチャ内に存在し得る。パケットデータコンバージェンスプロトコル（ＰＤＣＰ）、無線リンク制御（ＲＬＣ）、メディアアクセス制御（ＭＡＣ）プロトコルが、ＡＮＣまたはＴＲＰに適応的に配置され得る。
【００６６】
[0076]いくつかの態様によれば、ＢＳは、中央ユニット（ＣＵ）（たとえば、ＡＮＣ５０２）および／または１つまたは複数の分散型ユニット（たとえば、１つまたは複数のＴＲＰ５０８）を含み得る。
【００６７】
[0077]上記のように、図５は一例として与えられるにすぎない。他の例が可能であり、図５に関して説明されたものとは異なり得る。
【００６８】
[0078]図６は、本開示の態様による、分散型ＲＡＮ６００の例示的な物理アーキテクチャを示す。集中型コアネットワークユニット（Ｃ−ＣＵ）６０２は、コアネットワーク機能をホストし得る。Ｃ−ＣＵは中央に展開され得る。Ｃ−ＣＵ機能性は、ピーク容量を扱おうとして、（たとえば、高度ワイヤレスサービス（ＡＷＳ）に）オフロードされ得る。
【００６９】
[0079]集中型ＲＡＮユニット（Ｃ−ＲＵ）６０４は、１つまたは複数のＡＮＣ機能をホストし得る。随意に、Ｃ−ＲＵは、ローカルにコアネットワーク機能をホストし得る。Ｃ−ＲＵは分散型展開を有し得る。Ｃ−ＲＵはネットワークエッジにより近いことがある。
【００７０】
[0080]分散型ユニット（ＤＵ）６０６は、１つまたは複数のＴＲＰをホストし得る。ＤＵは、無線周波数（ＲＦ）機能性をもつネットワークのエッジに位置し得る。
【００７１】
[0081]上記のように、図６は一例として与えられるにすぎない。他の例が可能であり、図６に関して説明されたものとは異なり得る。
【００７２】
[0082]図７は、ＤＬ中心サブフレームまたはワイヤレス通信構造の一例を示す図７００である。ＤＬ中心サブフレームは制御部分７０２を含み得る。制御部分７０２は、ＤＬ中心サブフレームの初期部分または開始部分中に存在し得る。制御部分７０２は、ＤＬ中心サブフレームの様々な部分に対応する様々なスケジューリング情報および／または制御情報を含み得る。いくつかの構成では、制御部分７０２は、図７に示されているように、物理ＤＬ制御チャネル（ＰＤＣＣＨ）であり得る。いくつかの態様では、制御部分７０２は、レガシーＰＤＣＣＨ情報、短縮ＰＤＣＣＨ（ｓＰＤＣＣＨ：shortened PDCCH）情報）、（たとえば、物理制御フォーマットインジケータチャネル（ＰＣＦＩＣＨ）上で搬送される）制御フォーマットインジケータ（ＣＦＩ）値、１つまたは複数の許可（たとえば、ダウンリンク許可、アップリンク許可など）などを含み得る。
【００７３】
[0083]ＤＬ中心サブフレームは、ＤＬデータ部分７０４をも含み得る。ＤＬデータ部分７０４は、時々、ＤＬ中心サブフレームのペイロードと呼ばれることがある。ＤＬデータ部分７０４は、スケジューリングエンティティ（たとえば、ＵＥまたはＢＳ）から従属エンティティ（たとえば、ＵＥ）にＤＬデータを通信するために利用される通信リソースを含み得る。いくつかの構成では、ＤＬデータ部分７０４は、物理ＤＬ共有チャネル（ＰＤＳＣＨ）であり得る。
【００７４】
[0084]ＤＬ中心サブフレームは、ＵＬショートバースト部分７０６をも含み得る。ＵＬショートバースト部分７０６は、時々、ＵＬバースト、ＵＬバースト部分、共通ＵＬバースト、ショートバースト、ＵＬショートバースト、共通ＵＬショートバースト、共通ＵＬショートバースト部分、および／または様々な他の好適な用語で呼ばれることがある。いくつかの態様では、ＵＬショートバースト部分７０６は、１つまたは複数の基準信号を含み得る。追加または代替として、ＵＬショートバースト部分７０６は、ＤＬ中心サブフレームの様々な他の部分に対応するフィードバック情報を含み得る。たとえば、ＵＬショートバースト部分７０６は、制御部分７０２および／またはデータ部分７０４に対応するフィードバック情報を含み得る。ＵＬショートバースト部分７０６中に含まれ得る情報の非限定的な例は、肯定確認応答（ＡＣＫ）信号（たとえば、物理アップリンク制御チャネル（ＰＵＣＣＨ）ＡＣＫ、物理アップリンク共有チャネル（ＰＵＳＣＨ）ＡＣＫ、即時ＡＣＫ）、否定ＡＣＫ（ＮＡＣＫ）信号（たとえば、ＰＵＣＣＨ  ＮＡＣＫ、ＰＵＳＣＨ  ＮＡＣＫ、即時ＮＡＣＫ）、スケジューリング要求（ＳＲ）、バッファステータス報告（ＢＳＲ）、ハイブリッド自動再送要求（ＨＡＲＱ）インジケータ、チャネル状態指示（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または様々な他の好適なタイプの情報を含む。ＵＬショートバースト部分７０６は、ランダムアクセスチャネル（ＲＡＣＨ）プロシージャに関係する情報、スケジューリング要求、および様々な他の好適なタイプの情報など、追加または代替の情報を含み得る。
【００７５】
[0085]図７に示されているように、ＤＬデータ部分７０４の終端は、ＵＬショートバースト部分７０６の始端から時間的に分離され得る。この時間分離は、時々、ギャップ、ガード期間、ガードインターバル、および／または様々な他の好適な用語で呼ばれることがある。この分離は、ＤＬ通信（たとえば、従属エンティティ（たとえば、ＵＥ）による受信動作）からＵＬ通信（たとえば、従属エンティティ（たとえば、ＵＥ）による送信）への切替えのための時間を与える。上記はＤＬ中心ワイヤレス通信構造の一例にすぎず、同様の特徴を有する代替構造が、本明細書で説明される態様から必ずしも逸脱することなしに存在し得る。
【００７６】
[0086]上記のように、図７は一例として与えられるにすぎない。他の例が可能であり、図７に関して説明されたものとは異なり得る。
【００７７】
[0087]図８は、ＵＬ中心サブフレームまたはワイヤレス通信構造の一例を示す図８００である。ＵＬ中心サブフレームは制御部分８０２を含み得る。制御部分８０２は、ＵＬ中心サブフレームの初期部分または開始部分中に存在し得る。図８中の制御部分８０２は、図７を参照しながら上記で説明された制御部分７０２と同様であり得る。ＵＬ中心サブフレームは、ＵＬロングバースト部分８０４をも含み得る。ＵＬロングバースト部分８０４は、時々、ＵＬ中心サブフレームのペイロードと呼ばれることがある。ＵＬ部分は、従属エンティティ（たとえば、ＵＥ）からスケジューリングエンティティ（たとえば、ＵＥまたはＢＳ）にＵＬデータを通信するために利用される通信リソースを指し得る。いくつかの構成では、制御部分８０２は、物理ＤＬ制御チャネル（ＰＤＣＣＨ）であり得る。
【００７８】
[0088]図８に示されているように、制御部分８０２の終端は、ＵＬロングバースト部分８０４の始端から時間的に分離され得る。この時間分離は、時々、ギャップ、ガード期間、ガードインターバル、および／または様々な他の好適な用語で呼ばれることがある。この分離は、ＤＬ通信（たとえば、スケジューリングエンティティによる受信動作）からＵＬ通信（たとえば、スケジューリングエンティティによる送信）への切替えのための時間を与える。
【００７９】
[0089]ＵＬ中心サブフレームは、ＵＬショートバースト部分８０６をも含み得る。図８中のＵＬショートバースト部分８０６は、図７を参照しながら上記で説明されたＵＬショートバースト部分７０６と同様であり得、図７に関して上記で説明された情報のうちのいずれかを含み得る。上記はＵＬ中心ワイヤレス通信構造の一例にすぎず、同様の特徴を有する代替構造が、本明細書で説明される態様から必ずしも逸脱することなしに存在し得る。
【００８０】
[0090]一例では、フレームなどのワイヤレス通信構造は、ＵＬ中心サブフレームとＤＬ中心サブフレームの両方を含み得る。この例では、フレーム中のＤＬ中心サブフレームに対するＵＬ中心サブフレームの比率は、送信されるＵＬデータの量およびＤＬデータの量に少なくとも部分的に基づいて動的に調整され得る。たとえば、より多くのＵＬデータがある場合、ＤＬ中心サブフレームに対するＵＬ中心サブフレームの比率は増加され得る。逆に、より多くのＤＬデータがある場合、ＤＬ中心サブフレームに対するＵＬ中心サブフレームの比率は減少され得る。
【００８１】
[0091]上記のように、図８は一例として与えられるにすぎない。他の例が可能であり、図８に関して説明されたものとは異なり得る。
【００８２】
[0092]ＵＥ（たとえば、ＵＥ１２０）は、２つまたはそれ以上のＲＡＴ間でアップリンクおよび／またはダウンリンクリソースを共有し得る。たとえば、ＵＥは、第１のＲＡＴ（たとえば、４ＧまたはＬＴＥ  ＲＡＴ）と第２のＲＡＴ（たとえば、５ＧまたはＮＲ  ＲＡＴ）との間でアップリンクおよび／またはダウンリンクリソースを共有し得る。たとえば、ＬＴＥ  ＲＡＴはＬＴＥ１次セル（ＰＣｅｌｌ）に関連付けられ得る。ＬＴＥ  ＰＣｅｌｌは、ＴＤＤ構成またはＦＤＤ構成に関連付けられ得る。これらの場合、ＴＤＭ手法が、ワイヤレス通信性能を改善するために、４Ｇ  ＲＡＴおよび５Ｇ  ＲＡＴのために使用され得る。２つまたはそれ以上のＲＡＴを使用する通信は、動的手法（たとえば、ここにおいて、任意のリソースが、４Ｇ  ＲＡＴまたは５Ｇ  ＲＡＴを使用する通信のためにスケジュールされ得る）または半静的手法（たとえば、ここにおいて、特定のリソースが、４Ｇ  ＲＡＴまたは５Ｇ  ＲＡＴのために保証または指定される）を使用してスケジュールされ得る。しかしながら、純粋に半静的な手法は、特に５Ｇでの通信のフレキシビリティを制限し得、純粋に動的な手法はいくつかのリソースを浪費し得る。たとえば、ＵＥが、特定のサブフレーム中で確認応答または周期的通信を送信する必要があると仮定する。その場合、確認応答または周期的通信のための許可を搬送しなければならない、先行するダウンリンクサブフレームは、許可以外のダウンリンクデータを搬送することができない。これは、動的スケジューリングの場合に問題を引き起こし得る。
【００８３】
[0093]本明細書で説明されるいくつかの技法および装置は、４Ｇでは半静的スケジューリング手法を使用し、５Ｇでは半静的手法または動的手法を使用する。たとえば、４Ｇ通信は、基準ＴＤＤ構成に少なくとも部分的に基づいて１つまたは複数の保証されたリソースに関連付けられ、それにより、４Ｇ通信と５Ｇ許可または５Ｇ通信との間の競合の可能性を低減し得る。いくつかの態様では、５Ｇ通信は半静的手法を使用し得、半静的手法は、すべてのアップリンクリソースが利用可能であるとは限らないときでも、ダウンリンクリソースの利用可能性を改善し得る。いくつかの態様では、５Ｇ通信は動的手法を使用し得、動的手法は様々なトラフィック状態へのよりフレキシブルな適応を提供し得る。このようにして、共有アップリンクまたはダウンリンクＵＥのための通信が、第１のＲＡＴ（たとえば、４ＧまたはＬＴＥ）のために半静的手法を使用し、第２のＲＡＴ（たとえば、５ＧまたはＮＲ）のために半静的または動的手法を使用して実施され得、これは、共有アップリンクまたはダウンリンクＵＥのフレキシビリティを向上し、第１のＲＡＴのトラフィックと第２のＲＡＴのトラフィックとの間の衝突を低減する。
【００８４】
[0094]いくつかの態様では、「４Ｇ」という用語は、「ＬＴＥ」と互換的に使用され得る。いくつかの態様では、「５Ｇ」という用語は、「ＮＲ」と互換的に使用され得る。さらに、本明細書で説明される技法および装置は、主に４Ｇ  ＲＡＴおよび５Ｇ  ＲＡＴのコンテキストにおいて説明されるが、本明細書で説明される技法および装置は、そのように限定されない。実際は、本明細書で説明される技法および装置は、第１のＲＡＴと第２のＲＡＴ（たとえば、第１のタイプのＲＡＴと第２のタイプのＲＡＴ）の任意の組合せのために適用され得る。４Ｇ／ＬＴＥは、第１のＲＡＴの一例として与えられるにすぎず、５Ｇ／ＮＲは、第２のＲＡＴの一例として与えられるにすぎない。
【００８５】
[0095]図９Ａおよび図９Ｂは、本開示の様々な態様による、デュアルＲＡＴ通信のための時分割多重化の例９００を示す図である。図９Ａおよび図９Ｂは、４Ｇ  ＲＡＴまたは５Ｇ  ＲＡＴに関連付けられた通信のためのＴＤＭリソースの割振りについて説明するが、第１のＲＡＴと第２のＲＡＴの任意の組合せが企図される。いくつかの態様では、通信は、ＵＥ１２０のアップリンク送信などの送信であり得る。図９Ａおよび図９Ｂでは、ＵＥ１２０は、４Ｇ  ＲＡＴおよび５Ｇ  ＲＡＴに関してデュアルＲＡＴ通信技法を実施するように構成される。たとえば、ＵＥ１２０は、４Ｇ  ＲＡＴおよび５Ｇ  ＲＡＴに関してアップリンク共有を実施するように構成され得る。そのような場合、ＵＥ１２０のリソース（たとえば、アップリンクリソース）は、以下でより詳細に説明されるように、ＴＤＭ手法に少なくとも部分的に基づいて４Ｇ  ＲＡＴと５Ｇ  ＲＡＴとの間で分割され得る。
【００８６】
[0096]図９Ａに、および参照番号９１０によって、示されているように、ＢＳ１１０は、ＵＥ１２０のための４Ｇ送信をスケジュールし得る。たとえば、４Ｇ送信は、アップリンクデータ送信、（たとえば、アップリンクＨＡＲＱのための）アップリンクデータ再送信、（たとえば、ダウンリンクＨＡＲＱのための）肯定確認応答または否定確認応答などであり得る。さらに示されているように、ＢＳ１１０は、半静的リソース割振りのＴＤＭリソースを使用して４Ｇ送信をスケジュールし得る。いくつかの態様では、ＢＳ１１０は、基準ＴＤＤ構成に少なくとも部分的に基づいてＴＤＭリソースを識別し得る。たとえば、４Ｇ  ＲＡＴ（および、いくつかの場合には、５Ｇ  ＲＡＴ）は基準ＴＤＤ構成に関連付けられ得る。基準ＴＤＤ構成は、４Ｇ  ＲＡＴのために保証された最小リソース割振りを識別し得る。たとえば、基準ＴＤＤ構成は、４Ｇ  ＲＡＴのために保証されたアップリンクサブフレームおよび／または特定のアップリンクサブフレームの数を識別し得る。いくつかの態様では、４Ｇ  ＲＡＴのためにスケジュールされたアップリンクサブフレームの数は、４Ｇ  ＲＡＴのために保証されたアップリンクサブフレームの数よりも大きくなり得る。
【００８７】
[0097]いくつかの態様では、４Ｇ  ＲＡＴはＦＤＤ構成に関連付けられ得る。そのような場合、基準ＴＤＤ構成は、ＴＤＭリソースを選択するために使用され得る。いくつかの態様では、４Ｇ  ＲＡＴ（またはＬＴＥ  ＰＣｅｌｌなど、４Ｇ  ＲＡＴに関連付けられた４Ｇセル）はＴＤＤ構成に関連付けられ得る。たとえば、ＴＤＤ構成は、４Ｇ  ＲＡＴ上の通信のためのダウンリンクおよびアップリンクリソース（たとえば、サブフレーム、スロット、シンボルなど）を識別し得る。いくつかの態様では、４Ｇ  ＲＡＴのためのＴＤＤ構成は、ＴＤＤダウンリンク／アップリンク構成またはＴＤＤアップリンク／ダウンリンク構成と呼ばれることがある。
【００８８】
[0098]いくつかの態様では、４Ｇ送信がダウンリンクＨＡＲＱ通信に関連付けられたとき、ＴＤＭリソースは、４Ｇ  ＲＡＴのために割り振られたアップリンクサブフレームの実際の数にかかわらず、固定ＨＡＲＱタイムライン（たとえば、レガシーＬＴＥ  ＨＡＲＱタイムライン）に少なくとも部分的に基づいて選択され得る。たとえば、ＵＥ１２０は、ダウンリンクＨＡＲＱ通信のためのＨＡＲＱフィードバックをバンドルし得、固定ＨＡＲＱタイムラインによって識別されるリソース中で、バンドルされたＨＡＲＱフィードバックを与え得る。これは、すべての４ＧダウンリンクサブフレームがダウンリンクＨＡＲＱ通信のために使用可能であることを可能にし得るが、動的ＨＡＲＱタイムラインが使用された場合、いくつかの４Ｇダウンリンクサブフレームが、ＨＡＲＱ通信をスケジュールするために使用されるであろう。
【００８９】
[0099]いくつかの態様では、４Ｇ送信がダウンリンクＨＡＲＱ通信に関連付けられ、４Ｇ  ＲＡＴがＴＤＤ構成に関連付けられたとき、４Ｇ送信のための（たとえば、肯定確認応答（ＡＣＫ）または否定確認応答（ＮＡＣＫ）のための）ＴＤＭリソースは、基準ＴＤＤ構成に従って選択され得る。そのような場合、ダウンリンクデータは、任意のサブフレームを使用して与えられ得る。いくつかの態様では、４Ｇ送信がダウンリンクＨＡＲＱ通信に関連付けられ、４Ｇ  ＲＡＴがＦＤＤ構成に関連付けられたとき、４Ｇ通信（たとえば、ＡＣＫまたはＮＡＣＫ）のためのリソースは、基準ＴＤＤ構成に従って選択され得る。そのような場合、ダウンリンクデータは、ＴＤＤダウンリンク／アップリンク構成によってダウンリンクリソースとして識別される任意のリソースを使用して、与えられ得る。
【００９０】
[00100]いくつかの態様では、４Ｇ送信がアップリンクＨＡＲＱ通信に関連付けられたとき、ＴＤＭリソースは、必ずしも基準ＴＤＤ構成のリソースから選択されるとは限らないことがある。たとえば、４Ｇ  ＲＡＴがＦＤＤ構成に関連付けられたとき、４Ｇ送信のための（たとえば、アップリンクデータ送信またはアップリンクデータ再送信のための）ＴＤＭリソースは、ＦＤＤタイムラインおよび／またはＴＤＤダウンリンク／アップリンク構成に従って選択され得る。たとえば、ＦＤＤタイムラインは、非同期ＨＡＲＱタイムライン、４ｍｓ＋４ｍｓ  ＨＡＲＱタイムライン、４ｍｓ＋６ｍｓ  ＨＡＲＱタイムラインなどであり得る。そのような場合、アップリンクデータは、ＦＤＤタイムラインおよびＴＤＤダウンリンク／アップリンク構成による任意のサブフレーム上で送信され得る。いくつかの態様では、ダウンリンクＨＡＲＱ通信のためのダウンリンクデータは、ＴＤＤダウンリンク／アップリンク構成によって識別されるリソース中で受信され得る。追加または代替として、ＴＤＭリソースは、５Ｇに関連付けられたフレキシブルな手法に少なくとも部分的に基づいて選択され得る。このようにして、ダウンリンクリソースがアップリンク許可のために常に利用可能であり得るので、任意のアップリンクサブフレームが、動的ベースで４Ｇのために使用され得る。いくつかの態様では、４Ｇ  ＲＡＴがＴＤＤ構成（たとえば、ＴＤＤダウンリンク／アップリンク構成）に関連付けられたとき、ＴＤＤ構成は、ＴＤＭリソースを選択するために使用され得る。たとえば、ＴＤＭリソースは、ＴＤＤ構成に少なくとも部分的に基づいてアップリンクリソースとして識別される任意のリソースとして、選択され得る。
【００９１】
[00101]参照番号９２０によって示されているように、ＢＳ１１０はスケジューリング情報をＵＥ１２０に送信し得、参照番号９３０によって示されているように、ＵＥ１２０は、ＴＤＭリソース中で４Ｇ送信を実施し得る。いくつかの態様では、ＵＥ１２０は、ＴＤＭリソース中でアップリンク送信を実施し得る。ただし、本明細書で説明される技法および装置は、必ずしもＵＥ１２０のためのアップリンクリソースのＴＤＭを伴うものに限定されるとは限らず、ＵＥ１２０の任意の通信またはリソースに関して適用され得る。
【００９２】
[00102]図９Ｂに、および参照番号９４０によって、示されているように、ＢＳ１１０は、ＵＥ１２０のための５Ｇ通信をスケジュールし得る。さらに示されているように、ＢＳ１１０は、半静的手法または動的手法に少なくとも部分的に基づいて５Ｇ  ＴＤＭリソース中で５Ｇ通信をスケジュールし得る。
【００９３】
[00103]半静的手法は、上記で、図９Ａに関して４Ｇ  ＲＡＴに関して説明された、半静的手法と同様であり得る。たとえば、ＵＥ１２０は、５Ｇ  ＲＡＴのための保証されたリソース割振りを識別する基準５Ｇ  ＴＤＤ構成に関連付けられ得、５Ｇ  ＲＡＴのためのスケジュールされたリソースの実際の数は、保証されたリソース割振りよりも大きいかまたはそれに等しくなり得る。そのような場合、基準５Ｇ  ＴＤＤ構成のリソースは、基準４Ｇ  ＴＤＤ構成のリソースと時間的に重複しないことがある。追加または代替として、固定５Ｇアップリンクサブフレームと固定４Ｇアップリンクサブフレームとの和は、ＵＥ１２０のアップリンクサブフレームの総数よりも小さいかまたはそれに等しくなり得る。
【００９４】
[00104]動的手法を使用するとき、ＢＳ１１０は、基準５Ｇ  ＴＤＤ構成を使用せずに５Ｇ送信のためのアップリンクリソースをスケジュールし得る。言い換えれば、アップリンクリソースは、５Ｇ  ＲＡＴのために保証されないことがある。これは、動的ダウンリンクＨＡＲＱおよび／または動的アップリンクＨＡＲＱのための増加されたフレキシビリティを与え得、５Ｇ通信のための、ＵＥ１２０の４Ｇ通信におけるギャップの使用を可能にし得る。いくつかの態様では、ＵＥ１２０は、半静的手法と動的手法の組合せを使用し得る。たとえば、ＵＥ１２０は、５Ｇのための保証されたリソースを識別するために基準５Ｇ  ＴＤＤ構成を使用し得、４Ｇまたは５Ｇのための保証されたリソース以外のリソースを選択的にスケジュールし得る。
【００９５】
[00105]参照番号９５０によって示されているように、ＢＳ１１０はスケジューリング情報をＵＥ１２０に送信し得、参照番号９６０によって示されているように、ＵＥ１２０は、ＴＤＭリソース中で５Ｇ送信を実施し得る。このようにして、４Ｇおよび／または５Ｇ  ＴＤＭのために半静的手法を使用することによって、通常ならば、対応するアップリンクサブフレームのための許可のために使用されるであろうダウンリンクサブフレームが、別の目的のために使用され、それにより、スループットを改善することができる。さらに、５Ｇ  ＴＤＭのために動的手法を使用することによって、ＢＳ１１０は、アップリンクにおける４Ｇトラフィックと５Ｇトラフィックとのトラフィック比に関して、動的に適応することができる。
【００９６】
[00106]図９Ａおよび図９Ｂに関して説明される動作は、同じ周波数帯域中で４Ｇおよび５Ｇ通信のために実施され得、異なる周波数帯域中で４Ｇおよび５Ｇ通信のために実施され得る。
【００９７】
[00107]上記のように、図９Ａおよび図９Ｂは例として与えられている。他の例が可能であり、図９Ａおよび図９Ｂに関して説明されたものとは異なり得る。
【００９８】
[00108]図１０は、本開示の様々な態様による、たとえば、ＵＥによって実施される例示的なプロセス１０００を示す図である。例示的なプロセス１０００は、ＵＥ（たとえば、ＵＥ１２０）がデュアルＲＡＴ通信のために時分割多重化を実施する例である。
【００９９】
[00109]図１０に示されているように、いくつかの態様では、プロセス１０００は、第１のＲＡＴまたは第２のＲＡＴのうちの特定のＲＡＴに関連付けられた通信のためのスケジューリング情報を受信することを含み得、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、ＵＥの基準第１ＴＤＤ構成に少なくとも部分的に基づいて第１のＲＡＴのために保証される（ブロック１０１０）。たとえば、（たとえば、アンテナ２５２、ＤＥＭＯＤ２５４、ＭＩＭＯ検出器２５６、受信プロセッサ２５８、コントローラ／プロセッサ２８０などを使用する）ＵＥは、基地局（たとえば、ＢＳ１１０）からスケジューリング情報を受信し得る。スケジューリング情報は、第１のＲＡＴと第２のＲＡＴとのうちの特定のＲＡＴに関連付けられた通信（たとえば、アップリンク通信）のためのものであり得る。スケジューリング情報は、第１のＲＡＴのためのリソースの第１のセット、または第２のＲＡＴのためのリソースの第２のセットのうちの１つの特定のリソースを識別し得る。リソースの第１のセットのうちの１つまたは複数のリソースが、ＵＥの基準第１ＴＤＤ構成に少なくとも部分的に基づいて第１のＲＡＴのために保証され得る。いくつかの態様では、リソースの第１のセットのうちの１つまたは複数のリソースと、リソースの第２のセットとは時間領域において重複しない。いくつかの態様では、第１のＲＡＴは４Ｇ  ＲＡＴであり得、第２のＲＡＴは５Ｇ  ＲＡＴであり得る。
【０１００】
[00110]図１０に示されているように、いくつかの態様では、プロセス１０００は、特定のリソースを使用して通信を送信することを含み得る（ブロック１０２０）。たとえば、（たとえば、コントローラ／プロセッサ２８０、送信プロセッサ２６４、ＴＸ  ＭＩＭＯプロセッサ２６６、ＭＯＤ２５４、アンテナ２５２などを使用する）ＵＥは、特定のリソースを使用して通信を送信し得る。
【０１０１】
[00111]いくつかの態様では、リソースの第１のセットは、リソースの第１のセットのうちの１つまたは複数のリソースと、１つまたは複数の追加のリソースとを含む。いくつかの態様では、第１のＲＡＴは周波数分割複信構成に関連付けられ、特定のリソースは基準第１ＴＤＤ構成に少なくとも部分的に基づく。
【０１０２】
[00112]いくつかの態様では、通信は、ダウンリンクハイブリッド自動再送要求（ＨＡＲＱ）通信のためのフィードバックに関連付けられ、特定のリソースは基準第１ＴＤＤ構成に少なくとも部分的に基づく。いくつかの態様では、ＵＥは、任意のサブフレーム（たとえば、リソースの第１のセットのうちの任意のサブフレーム）においてダウンリンクＨＡＲＱ通信のダウンリンクデータを受信し得る。いくつかの態様では、第１のＲＡＴはＴＤＤダウンリンク／アップリンク構成に関連付けられ、通信は、ダウンリンクハイブリッド自動再送要求（ＨＡＲＱ）通信のためのフィードバックに関連付けられ、特定のリソースは基準第１ＴＤＤ構成に少なくとも部分的に基づく。いくつかの態様では、第１のＲＡＴはＴＤＤダウンリンク／アップリンク構成に関連付けられ、通信は、ダウンリンクハイブリッド自動再送要求（ＨＡＲＱ）通信のためのフィードバックに関連付けられる。ＵＥは、ＴＤＤダウンリンク／アップリンク構成によって識別されるリソース中でダウンリンクＨＡＲＱ通信のためのダウンリンクデータを受信し得る。
【０１０３】
[00113]いくつかの態様では、特定のリソースはアップリンクハイブリッド自動再送要求（ＨＡＲＱ）ペイロードのためのものであり、特定のリソースは、第１のＲＡＴのための周波数分割複信タイムラインに少なくとも部分的に基づいて選択される。いくつかの態様では、特定のリソースはアップリンクハイブリッド自動再送要求（ＨＡＲＱ）ペイロードのためのものであり、特定のリソースは、第１のＲＡＴのＴＤＤダウンリンク／アップリンク構成に少なくとも部分的に基づいて選択される。いくつかの態様では、リソースの第２のセットのうちの１つまたは複数のリソースが、ＵＥの基準第２ＴＤＤ構成に少なくとも部分的に基づいて第２のＲＡＴのために保証される。いくつかの態様では、リソースの第１のセットのうちの１つまたは複数のリソースと、リソースの第２のセットのうちの１つまたは複数のリソースとは時間的に重複しない。いくつかの態様では、リソースの第１のセットおよびリソースの第２のセットは合計で、リソースの第１のセットのうちの１つまたは複数のリソース、およびリソースの第２のセットのうちの１つまたは複数のリソース中に合計で含まれるものよりも多くのリソースを含む。
【０１０４】
[00114]いくつかの態様では、特定のリソースはリソースの第２のセットのものであり、通信はハイブリッド自動再送要求（ＨＡＲＱ）通信に関連付けられ、特定のリソースは、動的ＨＡＲＱタイムラインに少なくとも部分的に基づいて選択される。いくつかの態様では、リソースの第１のセットのうちの１つまたは複数のリソースは、ＵＥの周期的通信のために保証される。いくつかの態様では、リソースの第１のセットは、リソースの第２のセットとは異なる周波数に関連付けられる。いくつかの態様では、第１のＲＡＴは４Ｇ  ＲＡＴを備え、第２のＲＡＴは５Ｇ  ＲＡＴを備える
[00115]図１０はプロセス１０００の例示的なブロックを示すが、いくつかの態様では、プロセス１０００は、図１０に示されたものと比べて、追加のブロック、より少数のブロック、異なるブロック、または別様に構成されたブロックを含み得る。追加または代替として、プロセス１０００のブロックのうちの２つまたはそれ以上が並列に実施され得る。
【０１０５】
[00116]図１１は、本開示の様々な態様による、たとえば、基地局によって実施される例示的なプロセス１１００を示す図である。例示的なプロセス１１００は、基地局（たとえば、ＢＳ１１０）がデュアルＲＡＴ通信のために時分割多重化を実施する例である。
【０１０６】
[00117]図１１に示されているように、いくつかの態様では、プロセス１１００は、第１のＲＡＴまたは第２のＲＡＴのうちの特定のＲＡＴに関連付けられた通信のためのスケジューリング情報をＵＥに送信することを含み得、ここにおいて、スケジューリング情報が、第１のＲＡＴのためのリソースの第１のセット、または第２のＲＡＴのためのリソースの第２のセットのうちの１つの特定のリソースを識別し、リソースの第１のセットのうちの１つまたは複数のリソースが、基準第１ＴＤＤ構成に少なくとも部分的に基づいて第１のＲＡＴのために保証され、リソースの第１のセットのうちの１つまたは複数のリソースと、リソースの第２のセットとが時間領域において重複しない（ブロック１１１０）。たとえば、（たとえば、コントローラ／プロセッサ２４０、送信プロセッサ２２０、ＴＸ  ＭＩＭＯプロセッサ２３０、ＭＯＤ２３２、アンテナ２３４などを使用する）基地局はスケジューリング情報を送信し得る。スケジューリング情報は、第１のＲＡＴまたは第２のＲＡＴのうちの特定のＲＡＴに関連付けられた通信（たとえば、アップリンク通信、アップリンクデータ通信、アップリンクデータ再通信など）のためのものであり得る。スケジューリング情報は、第１のＲＡＴのためのリソースの第１のセット、または第２のＲＡＴのためのリソースの第２のセットのうちの１つの特定のリソース（たとえば、ＴＤＭリソース）を識別し得る。リソースの第１のセットのうちの１つまたは複数のリソースが、ＵＥの基準第１ＴＤＤ構成に少なくとも部分的に基づいて第１のＲＡＴのために保証され得る。リソースの第１のセットのうちの１つまたは複数のリソースは、リソースの第２のセットと時間領域において重複しないことがある。いくつかの態様では、第１のＲＡＴは４Ｇ  ＲＡＴであり得、第２のＲＡＴは５Ｇ  ＲＡＴであり得る。
【０１０７】
[00118]図１１に示されているように、いくつかの態様では、プロセス１１００は、特定のリソースを使用して通信を受信することを含み得る（ブロック１１２０）。たとえば、（たとえば、コントローラ／プロセッサ２４０、送信プロセッサ２２０、ＴＸ  ＭＩＭＯプロセッサ２３０、ＭＯＤ２３２、アンテナ２３４、ＤＥＭＯＤ２３２、ＭＩＭＯ検出器２３６、受信プロセッサ２３８、コントローラ／プロセッサ２４０などを使用する）基地局は、特定のリソースを使用して通信を受信し得る。
【０１０８】
[00119]プロセス１１００は、以下で説明される、および／または本明細書の他の場所で説明される１つまたは複数の他のプロセスに関する、単一の態様、または態様の任意の組合せなど、追加の態様を含み得る。
【０１０９】
[00120]いくつかの態様では、リソースの第１のセットは、リソースの第１のセットのうちの１つまたは複数のリソースと、１つまたは複数の追加のリソースとを含む。いくつかの態様では、第１のＲＡＴは周波数分割複信構成に関連付けられ、特定のリソースは基準第１ＴＤＤ構成に少なくとも部分的に基づく。いくつかの態様では、通信は、ダウンリンクハイブリッド自動再送要求（ＨＡＲＱ）通信のためのフィードバックに関連付けられ、特定のリソースは基準第１ＴＤＤ構成に少なくとも部分的に基づく。
【０１１０】
[00121]いくつかの態様では、基地局は、任意のサブフレーム（たとえば、サブフレームの第１のセットのうちの任意のサブフレーム）においてダウンリンクＨＡＲＱ通信のダウンリンクデータを送信し得る。いくつかの態様では、第１のＲＡＴはＴＤＤダウンリンク／アップリンク構成に関連付けられ、通信は、ダウンリンクハイブリッド自動再送要求（ＨＡＲＱ）通信のためのフィードバックに関連付けられ、特定のリソースは基準第１ＴＤＤ構成に少なくとも部分的に基づく。
【０１１１】
[00122]いくつかの態様では、第１のＲＡＴはＴＤＤダウンリンク／アップリンク構成に関連付けられ、通信は、ダウンリンクハイブリッド自動再送要求（ＨＡＲＱ）通信のためのフィードバックに関連付けられる。基地局は、ＴＤＤダウンリンク／アップリンク構成によって識別されるリソース中でダウンリンクＨＡＲＱ通信のためのダウンリンクデータを送信し得る。いくつかの態様では、特定のリソースはアップリンクハイブリッド自動再送要求（ＨＡＲＱ）ペイロードのためのものであり、特定のリソースは、第１のＲＡＴのための周波数分割複信タイムラインに少なくとも部分的に基づいて選択される。
【０１１２】
[00123]いくつかの態様では、特定のリソースはアップリンクハイブリッド自動再送要求（ＨＡＲＱ）ペイロードのためのものであり、特定のリソースは、第１のＲＡＴのＴＤＤダウンリンク／アップリンク構成に少なくとも部分的に基づいて選択される。いくつかの態様では、リソースの第２のセットのうちの１つまたは複数のリソースが、ＵＥの基準第２ＴＤＤ構成に少なくとも部分的に基づいて第２のＲＡＴのために保証される。いくつかの態様では、リソースの第１のセットのうちの１つまたは複数のリソースと、リソースの第２のセットのうちの１つまたは複数のリソースとは時間的に重複しない。いくつかの態様では、リソースの第１のセットおよびリソースの第２のセットは合計で、リソースの第１のセットのうちの１つまたは複数のリソース、およびリソースの第２のセットのうちの１つまたは複数のリソース中に合計で含まれるものよりも多くのリソースを含む。
【０１１３】
[00124]いくつかの態様では、特定のリソースはリソースの第２のセットのものであり、通信はハイブリッド自動再送要求（ＨＡＲＱ）通信に関連付けられ、特定のリソースは、動的ＨＡＲＱタイムラインに少なくとも部分的に基づいて選択される。いくつかの態様では、リソースの第１のセットのうちの１つまたは複数のリソースは、ＵＥの周期的通信のために保証される。いくつかの態様では、リソースの第１のセットは、リソースの第２のセットとは異なる周波数に関連付けられる。いくつかの態様では、第１のＲＡＴは４Ｇ  ＲＡＴを備え、第２のＲＡＴは５Ｇ  ＲＡＴを備える。
【０１１４】
[00125]図１１はプロセス１１００の例示的なブロックを示すが、いくつかの態様では、プロセス１１００は、図１１に示されたものと比べて、追加のブロック、より少数のブロック、異なるブロック、または別様に構成されたブロックを含み得る。追加または代替として、プロセス１１００のブロックのうちの２つまたはそれ以上が並列に実施され得る。
【０１１５】
[00126]上記の開示は、例示および説明を与えるが、網羅的なものでもなく、開示された厳密な形態に態様を限定するものでもない。修正および変形が、上記の開示に照らして可能であるか、または態様の実施から得られ得る。
【０１１６】
[00127]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１１７】
[00128]本明細書では、しきい値に関していくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１１８】
[00129]本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１１９】
[00130]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属することがあるが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１２０】
[00131]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に、本願の出願当初の特許請求の範囲に記載された発明を付記する。
［Ｃ１］
第１の無線アクセス技術（ＲＡＴ）と第２のＲＡＴとのためのアップリンク共有のために構成されたユーザ機器（ＵＥ）によって実施されるワイヤレス通信の方法であって、  前記第１のＲＡＴまたは前記第２のＲＡＴのうちの特定のＲＡＴに関連付けられた通信のためのスケジューリング情報を受信することと、ここにおいて、
前記スケジューリング情報は、前記第１のＲＡＴのためのリソースの第１のセット、または前記第２のＲＡＴのためのリソースの第２のセットのうちの１つの特定のリソースを識別し、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記特定のリソースを使用して前記通信を送信することと、
を備える、方法。
［Ｃ２］
リソースの前記第１のセットは、リソースの前記第１のセットのうちの前記１つまたは複数のリソースと、１つまたは複数の追加のリソースとを含む、Ｃ１に記載の方法。
［Ｃ３］
前記第１のＲＡＴは周波数分割複信構成に関連付けられ、前記特定のリソースが前記基準第１ＴＤＤ構成に少なくとも部分的に基づく、Ｃ１に記載の方法。
［Ｃ４］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１に記載の方法。
［Ｃ５］
任意のサブフレームにおいて前記ダウンリンクＨＡＲＱ通信のダウンリンクデータを受信すること、
をさらに備える、Ｃ４に記載の方法。
［Ｃ６］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１に記載の方法。
［Ｃ７］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを受信すること、
をさらに備える、Ｃ１に記載の方法。
［Ｃ８］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ１に記載の方法。
［Ｃ９］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ１に記載の方法。
［Ｃ１０］
リソースの前記第２のセットのうちの１つまたは複数のリソースは、前記ＵＥの基準第２ＴＤＤ構成に少なくとも部分的に基づいて前記第２のＲＡＴのために保証される、Ｃ１に記載の方法。
［Ｃ１１］
リソースの前記第１のセットのうちの前記１つまたは複数のリソースと、リソースの前記第２のセットのうちの前記１つまたは複数のリソースとが時間的に重複しない、Ｃ１０に記載の方法。
［Ｃ１２］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ１０に記載の方法。
［Ｃ１３］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ１に記載の方法。
［Ｃ１４］
リソースの前記第１のセットのうちの前記１つまたは複数のリソースは、前記ＵＥの周期的通信のために保証される、Ｃ１に記載の方法。
［Ｃ１５］
リソースの前記第１のセットは、リソースの前記第２のセットとは異なる周波数に関連付けられる、Ｃ１に記載の方法。
［Ｃ１６］
前記第１のＲＡＴは４Ｇ  ＲＡＴを備え、前記第２のＲＡＴは５Ｇ  ＲＡＴを備える、Ｃ１に記載の方法。
［Ｃ１７］
基地局によって実施されるワイヤレス通信の方法であって、
第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、
前記スケジューリング情報は、前記第１のＲＡＴのためのリソースの第１のセット、または前記第２のＲＡＴのためのリソースの第２のセットのうちの１つの特定のリソースを識別し、
リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとが時間領域において重複しない、
前記特定のリソースを使用して前記通信を受信することと、
を備える、方法。
［Ｃ１８］
リソースの前記第１のセットは、リソースの前記第１のセットのうちの前記１つまたは複数のリソースと、１つまたは複数の追加のリソースとを含む、Ｃ１７に記載の方法。
［Ｃ１９］
前記第１のＲＡＴは周波数分割複信構成に関連付けられ、前記特定のリソースは前記基準第１ＴＤＤ構成に少なくとも部分的に基づく、Ｃ１７に記載の方法。
［Ｃ２０］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１７に記載の方法。
［Ｃ２１］
任意のサブフレームにおいて前記ダウンリンクＨＡＲＱ通信のダウンリンクデータを送信すること、
をさらに備える、Ｃ２０に記載の方法。
［Ｃ２２］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ１７に記載の方法。
［Ｃ２３］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記方法は、
前記ＴＤＤダウンリンク／アップリンク構成によって識別されるリソース中で前記ダウンリンクＨＡＲＱ通信のためのダウンリンクデータを送信すること、
をさらに備える、Ｃ１７に記載の方法。
［Ｃ２４］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ１７に記載の方法。
［Ｃ２５］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ１７に記載の方法。
［Ｃ２６］
リソースの前記第２のセットのうちの１つまたは複数のリソースは、前記ＵＥの基準第２ＴＤＤ構成に少なくとも部分的に基づいて前記第２のＲＡＴのために保証される、Ｃ１７に記載の方法。
［Ｃ２７］
リソースの前記第１のセットのうちの前記１つまたは複数のリソースと、リソースの前記第２のセットのうちの前記１つまたは複数のリソースとは時間的に重複しない、Ｃ２６に記載の方法。
［Ｃ２８］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ２７に記載の方法。
［Ｃ２９］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ１７に記載の方法。
［Ｃ３０］
リソースの前記第１のセットのうちの前記１つまたは複数のリソースは、前記ＵＥの周期的通信のために保証される、Ｃ１７に記載の方法。
［Ｃ３１］
リソースの前記第１のセットは、リソースの前記第２のセットとは異なる周波数に関連付けられる、Ｃ１７に記載の方法。
［Ｃ３２］
前記第１のＲＡＴは４Ｇ  ＲＡＴを備え、前記第２のＲＡＴは５Ｇ  ＲＡＴを備える、Ｃ１７に記載の方法。
［Ｃ３３］
第１の無線アクセス技術（ＲＡＴ）と第２のＲＡＴとのためのアップリンク共有のために構成された、ワイヤレス通信のためのユーザ機器（ＵＥ）であって、
メモリと、
前記メモリに動作可能に結合された１つまたは複数のプロセッサと、を備え、前記メモリおよび前記１つまたは複数のプロセッサは、
前記第１のＲＡＴまたは前記第２のＲＡＴのうちの特定のＲＡＴに関連付けられた通信のためのスケジューリング情報を受信することと、ここにおいて、前記スケジューリング情報は、前記第１のＲＡＴのためのリソースの第１のセット、または前記第２のＲＡＴのためのリソースの第２のセットのうちの１つの特定のリソースを識別し、リソースの前記第１のセットのうちの１つまたは複数のリソースは、前記ＵＥの基準第１ＴＤＤ構成に少なくとも部分的に基づいて前記第１のＲＡＴのために保証され、リソースの前記第１のセットのうちの前記１つまたは複数のリソースと、リソースの前記第２のセットとは時間領域において重複しない、
前記特定のリソースを使用して前記通信を送信することと、
を行うように構成された、ユーザ機器（ＵＥ）。
［Ｃ３４］
リソースの前記第１のセットは、リソースの前記第１のセットのうちの前記１つまたは複数のリソースと、１つまたは複数の追加のリソースとを含む、Ｃ３３に記載のＵＥ。
［Ｃ３５］
前記第１のＲＡＴは周波数分割複信構成に関連付けられ、前記特定のリソースは前記基準第１ＴＤＤ構成に少なくとも部分的に基づく、Ｃ３３に記載のＵＥ。
［Ｃ３６］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ３３に記載のＵＥ。
［Ｃ３７］
前記１つまたは複数のプロセッサは、
任意のサブフレームにおいて前記ダウンリンクＨＡＲＱ通信のダウンリンクデータを受信すること、
を行うことになる、Ｃ３６に記載のＵＥ。
［Ｃ３８］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ３３に記載のＵＥ。
［Ｃ３９］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを受信すること、
を行うことになる、Ｃ３３に記載のＵＥ。
［Ｃ４０］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ３３に記載のＵＥ。
［Ｃ４１］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ３３に記載のＵＥ。
［Ｃ４２］
リソースの前記第２のセットのうちの１つまたは複数のリソースは、前記ＵＥの基準第２ＴＤＤ構成に少なくとも部分的に基づいて前記第２のＲＡＴのために保証される、Ｃ３３に記載のＵＥ。
［Ｃ４３］
リソースの前記第１のセットのうちの前記１つまたは複数のリソースと、リソースの前記第２のセットのうちの前記１つまたは複数のリソースとは時間的に重複しない、Ｃ４２に記載のＵＥ。
［Ｃ４４］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ４２に記載のＵＥ。
［Ｃ４５］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ３３に記載のＵＥ。
［Ｃ４６］
リソースの前記第１のセットのうちの前記１つまたは複数のリソースは、前記ＵＥの周期的通信のために保証される、Ｃ３３に記載のＵＥ。
［Ｃ４７］
リソースの前記第１のセットは、リソースの前記第２のセットとは異なる周波数に関連付けられる、Ｃ３３に記載のＵＥ。
［Ｃ４８］
前記第１のＲＡＴは４Ｇ  ＲＡＴを備え、前記第２のＲＡＴは５Ｇ  ＲＡＴを備える、Ｃ３３に記載のＵＥ。
［Ｃ４９］
ワイヤレス通信のための基地局であって、
メモリと、
前記メモリに動作可能に結合された１つまたは複数のプロセッサと、を備え、前記メモリおよび前記１つまたは複数のプロセッサは、
第１の無線アクセス技術（ＲＡＴ）または第２のＲＡＴのうちの特定のＲＡＴに関連付けられた通信のためのスケジューリング情報をユーザ機器（ＵＥ）に送信することと、ここにおいて、前記スケジューリング情報は、前記第１のＲＡＴのためのリソースの第１のセット、または前記第２のＲＡＴのためのリソースの第２のセットのうちの１つの特定のリソースを識別し、リソースの前記第１のセットのうちの１つまたは複数のリソースは、基準第１時分割複信（ＴＤＤ）構成に少なくとも部分的に基づいて前記第１のＲＡＴのために保証され、リソースの前記第１のセットのうちの前記１つまたは複数のリソースと、リソースの前記第２のセットとは時間領域において重複しない、
前記特定のリソースを使用して前記通信を受信することと、
を行うように構成された、基地局。
［Ｃ５０］
リソースの前記第１のセットは、リソースの前記第１のセットのうちの前記１つまたは複数のリソースと、１つまたは複数の追加のリソースとを含む、Ｃ４９に記載の基地局。
［Ｃ５１］
前記第１のＲＡＴは周波数分割複信構成に関連付けられ、前記特定のリソースは前記基準第１ＴＤＤ構成に少なくとも部分的に基づく、Ｃ４９に記載の基地局。
［Ｃ５２］
前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ４９に記載の基地局。
［Ｃ５３］
前記１つまたは複数のプロセッサは、
任意のサブフレームにおいて前記ダウンリンクＨＡＲＱ通信のダウンリンクデータを送信すること、
を行うように構成される、Ｃ５２に記載の基地局。
［Ｃ５４］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記特定のリソースは前記基準第１ＴＤＤ構成に少なくとも部分的に基づく、Ｃ４９に記載の基地局。
［Ｃ５５］
前記第１のＲＡＴはＴＤＤダウンリンク／アップリンク構成に関連付けられ、前記通信は、ダウンリンクハイブリッド自動再送要求（ＨＡＲＱ）通信のためのフィードバックに関連付けられ、前記１つまたは複数のプロセッサは、
前記ＴＤＤダウンリンク／アップリンク構成によって識別されるリソース中で前記ダウンリンクＨＡＲＱ通信のためのダウンリンクデータを送信すること、
を行うようにさらに構成される、Ｃ４９に記載の基地局。
［Ｃ５６］
前記特定のリソースはアップリンクハイブリッド自動再送要求（ＨＡＲＱ）ペイロードのためのものであり、前記特定のリソースは、前記第１のＲＡＴのための周波数分割複信タイムラインに少なくとも部分的に基づいて選択される、Ｃ４９に記載の基地局。
［Ｃ５７］
前記特定のリソースはアップリンクハイブリッド自動再送要求（ＨＡＲＱ）ペイロードのためのものであり、前記特定のリソースは、前記第１のＲＡＴのＴＤＤダウンリンク／アップリンク構成に少なくとも部分的に基づいて選択される、Ｃ４９に記載の基地局。
［Ｃ５８］
リソースの前記第２のセットのうちの１つまたは複数のリソースは、前記ＵＥの基準第２ＴＤＤ構成に少なくとも部分的に基づいて前記第２のＲＡＴのために保証される、Ｃ４９に記載の基地局。
［Ｃ５９］
リソースの前記第１のセットのうちの前記１つまたは複数のリソースと、リソースの前記第２のセットのうちの前記１つまたは複数のリソースとは時間的に重複しない、Ｃ５８に記載の基地局。
［Ｃ６０］
リソースの前記第１のセットおよびリソースの前記第２のセットは合計で、リソースの前記第１のセットのうちの前記１つまたは複数のリソース、およびリソースの前記第２のセットのうちの前記１つまたは複数のリソース中に合計で含まれるものよりも多くのリソースを含む、Ｃ５９に記載の基地局。
［Ｃ６１］
前記特定のリソースはリソースの前記第２のセットのものであり、前記通信はハイブリッド自動再送要求（ＨＡＲＱ）通信に関連付けられ、
前記特定のリソースは、動的ＨＡＲＱタイムラインに少なくとも部分的に基づいて選択される、
Ｃ４９に記載の基地局。
［Ｃ６２］
リソースの前記第１のセットのうちの前記１つまたは複数のリソースは、前記ＵＥの周期的通信のために保証される、Ｃ４９に記載の基地局。
［Ｃ６３］
リソースの前記第１のセットは、リソースの前記第２のセットとは異なる周波数に関連付けられる、Ｃ４９に記載の基地局。
［Ｃ６４］
前記第１のＲＡＴは４Ｇ  ＲＡＴを備え、前記第２のＲＡＴは５Ｇ  ＲＡＴを備える、Ｃ４９に記載の基地局。
【図１】
0006946558.tif 000002
【図２】
0006946558.tif 000003
【図３Ａ】
0006946558.tif 000004
【図３Ｂ】
0006946558.tif 000005
【図４】
0006946558.tif 000006
【図５】
0006946558.tif 000007
【図６】
0006946558.tif 000008
【図７】
0006946558.tif 000009
【図８】
0006946558.tif 000010
【図９Ａ】
0006946558.tif 000011
【図９Ｂ】
0006946558.tif 000012
【図１０】
0006946558.tif 000013
【図１１】
0006946558.tif 000014